(57)【要約】【課題】  自毛髪に毛髪用繊維を取り付ける際に、取り付け作業を容易にすると共に、自毛髪のダメージを軽減し、且つ、取り付け後の頭皮に不快感を与えないようにする。【解決手段】  本発明は、人工毛髪用繊維又は人毛から成る毛髪用繊維１に所定のループ（第１ループ２ａ、第２ループ２ｂ）を形成する工程と、該ループに自毛髪３を結着する工程と、該自毛髪３に該毛髪用繊維１を結着した結着部５の外側近傍の該自毛髪３と該毛髪用繊維１を固着部材で固着する工程とから成る毛髪用繊維の取り付け方法を提供する。【選択図】  図２
2005213699.tif 000002
【特許請求の範囲】
【請求項１】
人工毛髪用繊維又は人毛から成る毛髪用繊維に所定のループを形成する工程と、該ループに自毛髪を結着する工程と、該自毛髪に該毛髪用繊維を結着した結着部の外側近傍の該自毛髪と該毛髪用繊維とを固着部材で固着する工程とから成ることを特徴とする毛髪用繊維の取り付け方法。
【請求項２】
上記ループは引き解け結びによって形成されることを特徴とする請求項１記載の毛髪用繊維の取り付け方法。
【請求項３】
上記固着部材は塑性変形物であることを特徴とする請求項１又は２記載の毛髪用繊維の取り付け方法。
【請求項４】
上記塑性変形物はアルミ又は鉛であることを特徴とする請求項３記載の毛髪用繊維の取り付け方法。
【請求項５】
上記固着部材は糸ゴムであることを特徴とする請求項１又は２記載の毛髪用繊維の取り付け方法。
【請求項６】
毛髪用繊維と自毛髪とを固着するための塑性変形物から成る固着部材を挟着により塑性変形させて該毛髪用繊維と自毛髪とを固着する毛髪用繊維の取り付け器具であって、該取り付け器具の一対の対向する挟着部に夫々断面円弧状の溝部から成る成形部が開口部を互いに対向させて形成され、且つ、該挟着部の幅方向中央部には長手方向に延びる長溝部が夫々形成されていることを特徴とする毛髪用繊維の取り付け器具。
【発明の詳細な説明】
【技術分野】
【０００１】
本発明は、毛髪用繊維の取り付け方法及び毛髪用繊維の取り付け器具に関し、特に、毛髪用繊維を自毛髪に結着すると共に、結着部近傍を固着部材によって固着する毛髪用繊維の取り付け方法及び毛髪用繊維の取り付け器具に関するものである。
【背景技術】
【０００２】
従来、美理容の分野に於いて、自毛髪に人毛又は人工毛から成る毛髪用繊維を取り付けて、髪の長さを伸張したり、或いは、髪の毛の量を増やして増毛する所謂エクステンション技術が知られている。
【０００３】
例えば、特許文献１には毛髪用繊維の取り付け方法が記載されており、該毛髪用繊維の取り付け方法は、自毛髪束に毛髪用繊維束を交差させ、自毛髪束を毛髪用繊維束の一端側に巻き付け、更に、毛髪用繊維束の他端側に巻き付け、自毛髪束の先端側を引っ張りつつ、毛髪用繊維束を地肌側に移動させた後、毛髪用繊維束の一端側、他端側及び自毛髪束の先端側を三つ編みにより編み合わせて、毛髪用繊維束のループを含む編み合わせ部分を形成し、更に、毛髪用繊維束の先端側を２つに分け、一方の分岐毛髪用繊維束と編み合わせ部分を束ね、他方の分岐毛髪用繊維束をループより先端側の編み合わせ部分に巻き付けた後、その巻き付け部分を融着させるものである。
【０００４】
又、特許文献２には熱収縮チューブを使用したエクステンション方法が記載されており、該エクステンション方法は、適量の自毛髪に熱収縮性チューブを挿通して根元側に配置した後、その自毛髪と毛髪用繊維とを交差させて該自毛髪をループ状に結んで両者を括り付け、次いで、前記熱収縮チューブを結び目の位置又はそこから先端側に若干離れた位置に移動せしめた後、前記熱収縮チューブを加熱することにより熱収縮チューブを収縮させて前記自毛髪と前記毛髪用繊維とを固定するものである。
【特許文献１】特開２００２−２０９２２号公報
【特許文献２】特開２００４−３１０７号公報
【発明の開示】
【発明が解決しようとする課題】
【０００５】
然しながら、上述した特許文献１記載の発明は、自毛髪束を毛髪用繊維束の一端側に巻き付けると共に、毛髪用繊維束の他端側に巻き付け、且つ、毛髪用繊維束の一端側、他端側及び自毛髪束の先端側を三つ編みにより編み合わせて、毛髪用繊維束のループを含む編み合わせ部分を形成するものであり、自毛髪を巻き付け、且つ、編み合わせるため、自毛髪がダメージを受けて痛むという問題を有していた。
【０００６】
又、上記特許文献２記載の発明は、自毛髪と毛髪用繊維とを交差させて該自毛髪をループ状に結んで両者を括り付け、熱収縮チューブを結び目の位置又はそこから先端側に若干離れた位置に移動せしめた後、熱収縮チューブを収縮させて結び目又は自毛髪と前記毛髪用繊維とを固定するものであり、該熱収縮チューブが該結び目を被包する場合には該熱収縮チューブが直接頭皮に接触して不快感を感じさせる虞があり、又、該熱収縮チューブが該結び目から若干離れた位置の自毛髪と前記毛髪用繊維とに固定される場合も該結び目が比較的小さく該熱収縮チューブが頭皮側に露出するため、該熱収縮チューブが頭皮に直接接触して不快感を感じさせる虞があった。
【０００７】
更に、自毛髪をループ状に結ぶため、自毛髪を引張する頻度が高くなり、自毛髪、或いは、頭皮を痛める虞があり、自毛髪が一定期間を過ぎると抜けやすくなるという問題があった。
【０００８】
更に又、前記熱収縮チューブの中の自毛髪及び毛髪用繊維に水が溜まると乾きにくく不衛生であるという問題があった。
【０００９】
そこで、本発明は、自毛髪に毛髪用繊維を取り付ける際に、取り付け作業を容易にすると共に、自毛髪のダメージを軽減し、且つ、取り付け後の頭皮に不快感を与えないようにすることを目的とする。
【課題を解決するための手段】
【００１０】
上記の課題を解決すべく、本発明は以下の構成を提供する。
請求項１に係る発明は、人工毛髪用繊維又は人毛から成る毛髪用繊維に所定のループを形成する工程と、該ループに自毛髪を結着する工程と、該自毛髪に該毛髪用繊維を結着した結着部の外側近傍の該自毛髪と該毛髪用繊維とを固着部材で固着する工程とから成ることを特徴とする。
【００１１】
請求項２に係る発明は、上記ループは引き解け結びによって形成されることを特徴とする。
請求項３に係る発明は、上記固着部材は塑性変形物であることを特徴とする。  
【００１２】
請求項４に係る発明は、上記塑性変形物はアルミ又は鉛であることを特徴とする。
請求項５に係る発明は、上記固着部材は糸ゴムであることを特徴とする。
【００１３】
請求項６に係る発明は、毛髪用繊維と自毛髪とを固着するための塑性変形物から成る固着部材を挟着により塑性変形させて毛髪用繊維と自毛髪とを固着する毛髪用繊維の取り付け器具であって、該取り付け器具の一対の対向する挟着部に夫々断面円弧状の溝部から成る成形部が開口部を互いに対向させて形成され、且つ、該挟着部の幅方向中央部には長手方向に延びる長溝部が夫々形成されていることを特徴とする。
【発明の効果】
【００１４】
本発明の請求項１記載の発明によれば、人工毛髪用繊維又は人毛から成る毛髪用繊維に所定のループを形成する工程と、該ループに自毛髪を結着する工程と、該自毛髪に該毛髪用繊維を結着した結着部の外側近傍の該自毛髪と該毛髪用繊維とを固着部材で固着する工程とから成るので、毛髪用繊維に所定のループを形成して、該ループに自毛髪を結着することにより、自毛髪の変形及び圧迫を少なくすることが可能となり自毛髪のダメージを低減することができる。
【００１５】
本発明の請求項２記載の発明によれば、上記ループは引き解け結びによって形成されるので、請求項１記載の発明の効果に加え、ループの形成方法が容易であると共に、該引き解け結びによって自毛髪を結着した場合は、取り付け作業を容易にすることができると共に、固着部材の頭皮に対する直接接触を抑制することができ、且つ、前記毛髪用繊維を取り外す場合に該毛髪用繊維を引っ張るだけで取り外すことが可能となり初心者でも取り付け方法を習得しやすいという利点がある。
【００１６】
本発明の請求項３記載の発明によれば、上記固着部材は塑性変形物であるので、請求項１又は２記載の発明の効果に加え、加圧することにより変形し、変形状態を維持するため、確実に固着することができる。
【００１７】
本発明の請求項４記載の発明によれば、上記塑性変形物はアルミ又は鉛であるので、請求項３記載の発明の効果に加え、固着が容易であると共に、安価であり、且つ、耐久性も期待できる。
【００１８】
本発明の請求項５記載の発明によれば、上記固着部材は糸ゴムであるので、請求項１又は２記載の発明の効果に加え、自毛髪及び毛髪用繊維を該糸ゴムで巻き付けて結んで固定することにより、自毛髪及び毛髪用繊維を容易に、且つ、確実に固着することができる。
【００１９】
本発明の請求項６記載の発明によれば、毛髪用繊維と自毛髪とを固着するための塑性変形物から成る固着部材を挟着により塑性変形させて毛髪用繊維と自毛髪とを固着する毛髪用繊維の取り付け器具であって、該取り付け器具の一対の対向する挟着部に夫々断面円弧状の溝部から成る成形部が開口部を互いに対向させて形成され、且つ、該挟着部の幅方向中央部には長手方向に延びる長溝部が夫々形成されているので、前記円弧状の成形部によって、固着部材を丸形の環状に形成することができるため、毛髪用繊維及び自毛髪とを強い力で均等に保持することが可能になる。又、前記長溝部により固着部材の保持も容易である。
【発明を実施するための最良の形態】
【００２０】
以下、実施例を示した図面を参照しつつ本発明の実施の形態を説明する。
図１は、本発明の毛髪用繊維の取り付け方法に於ける毛髪用繊維のループの形成方法を示す。図１（ａ）に於いて、１は毛髪用繊維を示し、該毛髪用繊維１は、例えば、ポリエチレン等で形成される人工毛髪用繊維、又は、人毛である。
【００２１】
而して、同図（ｂ）に示す如く、該毛髪用繊維１の一端部１ａを他端部１ｂ上に載せて第１ループ２ａを作り、該第１ループ２ａの下方から該毛髪用繊維１の一端部１ａ近傍を上方に引き出して、同図（ｃ）及び（ｄ）に示す如く、第２ループ２ｂを作り、前記第１ループ２ａを裏返すと、所謂、引き解け結びが形成される。
【００２２】
図２は、本発明の毛髪用繊維の取り付け方法に於ける毛髪用繊維と自毛髪の結着方法を示す。同図（ａ）に於いて、３は自毛髪を示し、該自毛髪３は頭皮４から延びており、同図（ｂ）に示す如く、前記毛髪用繊維１の第２ループ２ｂに該自毛髪３の先端部３ａを貫通させた状態で、該毛髪用繊維１の他端部１ｂを図に於いて下方に引くと、該毛髪用繊維１の第１ループ２ａが小さくなり、続いて一端部１ａを図に於いて下方に引くと、同図（ｃ）に示す如く、該毛髪用繊維１の第２ループ２ｂが小さくなって自毛髪３を挟着して結着し、結着部５が形成される。
【００２３】
そして、同図（ｄ）に示す如く、自毛髪３の先端部を毛髪用繊維１の一端部１ａ及び他端部１ｂ側に屈曲させて揃える。
図３は、本発明の毛髪用繊維の取り付け方法に用いる固着部材６を示し、該固着部材６は、例えば、断面が略環状又は略矩形状に形成された塑性変形物であり、例えば、アルミニウム、又は、鉛等から成り、図３（ａ）に示すＪ字状、又は、同図（ｂ）に示す逆Ｃ字状に形成され、一部に開口部６ａを有している。尚、該固着部材６の形状は前述の形状に限定されるものではなく、その他の種々の形状に形成することも可能である。
【００２４】
図４は本発明の毛髪用繊維の取り付け器具７を示し、該取り付け器具７は毛髪用繊維１と自毛髪３とを固着するための固着部材６を挟着により塑性変形させて毛髪用繊維１と自毛髪３とを固着するものであり、支点７ａ周りに回動する一対の対向する挟着部８，８と、把持部７ｂ，７ｂとを備えて鋏形状に形成される。
【００２５】
そして、該把持部７ｂ，７ｂ側に弾性部材７ｃが介装されて該挟着部８，８は挟圧する方向に付勢されている。
又、図５（ａ）に示す如く、該挟着部８には前記固着部材６を丸形の環状形に成形するため夫々断面円弧状の溝部から成る成形部９，９が開口部を互いに対向させて二組形成され、且つ、該挟着部８の幅方向中央部には該固着部材６を成形する前に保持し、所定の形状に変形させるための長手方向に延びる長溝部１０が形成されている。但し、該長溝部１０は前記成形部９，９と交差する部分は該成形部９，９によって切欠されている。
【００２６】
而して、同図（ｂ）に示す如く、前記取り付け具７の挟着部８，８の長溝部１０，１０先端部に開口部６ａが外方を向くように固着部材６を嵌入させ、該挟着部８，８で軽く挟圧して保持し、該固着部材６に前記結着部５の外側近傍の毛髪用繊維１と自毛髪３とを把持させ、更に、該挟着部８，８を挟圧して該固着部材６で該毛髪用繊維１と自毛髪３とを軽く挟持させ、次に、前記挟着部８，８を若干開いて該固着部材６から離間させ、更に、該挟着部８，８の成形部９，９を該固着部材６に位置決めして該成形部９，９によって該固着部材６を挟圧すると、該固着部材６は図６に示す丸形の環状に成形されると共に、該環状の内周部内に前記毛髪用繊維１及び自毛髪３を比較的強い力で均等に、且つ、確実に固着する。
【００２７】
図７は該固着部材６が前記毛髪用繊維１及び自毛髪３を固着した状態を示す。図に示すように該固着部材６は前記結着部５の外側近傍の毛髪用繊維１及び自毛髪３を固着するので、該固着部材６は該結着部５の外側に位置して固着され、該固着部材６と頭皮４との間に該結着部５が介在するため、該固着部材６が頭皮４に直接接触することが少なくなり、頭皮４に感じる不快感が低減する。
【００２８】
斯くして、本発明の毛髪用繊維の取り付け方法は従来の特許文献１に示す自毛髪を毛髪用繊維に巻き付ける方法とは異なり、毛髪用繊維１に第２ループ２ｂを形成して、該第２ループ２ｂに自毛髪３を結着するため、自毛髪３の変形又は圧迫が少なくなり自毛髪３のダメージを少なくすることができる。
【００２９】
又、前記第２ループ２ｂは引き解け結びによって形成されるので、ループの形成方法が容易であると共に、該引き解け結びによって自毛髪３を結着した場合は、取り付け作業を容易にすることができると共に、結着部５によって固着部材６が頭皮に直接接触しないようにして不快感を与えないようにすることができ、且つ、前記毛髪用繊維１を取り外す場合に該毛髪用繊維１を引っ張るだけで取り外すことが可能となり初心者でも取り付け方法を習得しやすいという利点がある。
【００３０】
更に、前記固着部材６は塑性変形物であるので、加圧することにより変形し、変形状態を維持するため、確実に前記毛髪用繊維１及び自毛髪３を固着することができる。又、該固着部材６で固着された毛髪用繊維１の先端部は二方向に分岐して離間するため、自然なボリューム感と自然な毛束感を得ることができると共に、本数が少ないためシャンプーしやすく、洗髪の時間が短縮される利点がある。
【００３１】
そして、前記固着部材６がアルミニウム、又は、鉛である場合は、該固着部材６に水が付着しにくいため、該固着部材６で固着した自毛髪３及び毛髪用繊維１にも水が溜まりにくく、且つ、該アルミニウム、又は、鉛は強度的に小さい断面に形成できるため、更に、水が溜まることを抑制でき、衛生的である。
【００３２】
更に又、前記毛髪用繊維の取り付け器具７は一対の対向する挟着部８，８に夫々断面円弧状の溝部から成る成形部９，９が開口部を互いに対向させて形成されているので、該成形部９，９によって、固着部材６を丸形の環状に形成することが可能となり、毛髪用繊維１及び自毛髪３とを強い力で均等に、且つ、確実に保持することができる。
【００３３】
そして、前記毛髪用繊維の取り付け器具７の挟着部８，８の幅方向中央部には長手方向に延びる長溝部１０，１０が夫々形成されているので、該長溝部１０，１０によって前記固着部材６を容易に保持し、且つ、該固着部材６を挟圧して変形させることができる。
【００３４】
又、前記固着部材６として、塑性変形物であるアルミニウム、又は、鉛等を用いたが、これに代えて、図示は省略するが糸ゴムを用いることも可能であり、然る時は、自毛髪及び毛髪用繊維を該糸ゴムで巻き付けて結んで固定することにより、自毛髪及び毛髪用繊維を容易に、且つ、確実に固着することができる。
【００３５】
尚、前述の毛髪用繊維の取り付け方法に於いて、１本の自毛髪３に１本の毛髪用繊維１を結着し、固着したが、これに限定されることなく、１本の自毛髪３に代えて複数の自毛髪３，３…から成る自毛髪束であっても良く、又、１本の毛髪用繊維１に代えて複数の毛髪用繊維１，１…から成る毛髪用繊維束であっても良く、然る時も、前述の毛髪用繊維の取り付け方法と略同様の効果が期待できる。
【図面の簡単な説明】
【００３６】
【図１】（ａ）〜（ｄ）本発明の一実施の形態を示し、毛髪用繊維に結着用の結び目を作る過程を説明する説明図。
【図２】（ａ）〜（ｄ）本発明の一実施の形態を示し、毛髪用繊維を自毛髪に結着する過程を説明する説明図。
【図３】（ａ）本発明の一実施の形態を示し、固着部材の平面図。（ａ）本発明の一実施の形態を示し、他の形状を有する固着部材の平面図。
【図４】本発明の一実施の形態を示し、毛髪用繊維の取り付け器具の平面図。
【図５】（ａ）図４に示す取り付け器具の挟着部を説明する斜視図。（ｂ）図５（ａ）に示す取り付け器具に固着部材を保持した状態を示す斜視図。
【図６】本発明の一実施の形態を示し、成形された固着部材の平面図。
【図７】本発明の一実施の形態を示し、自毛髪に毛髪用繊維を取り付けた状態を示す説明図。
【符号の説明】
【００３７】
１  毛髪用繊維
３  自毛髪
５  結着部
６  固着部材
７  取り付け器具
８  挟着部
９  成形部
１０  長溝部
【図１】
2005213699.tif 000003
【図２】
2005213699.tif 000004
【図３】
2005213699.tif 000005
【図４】
2005213699.tif 000006
【図５】
2005213699.tif 000007
【図６】
2005213699.tif 000008
【図７】
2005213699.tif 000009